(57)【要約】      （修正有）【課題】マッサージ手法の効果の一つであるつまみ上げ作用を実現できるマッサージ装置を提供する。【解決手段】装置本体と、この装置本体に配設された複数のローラ３，４とを有するマッサージ装置において、複数のローラ３，４を連動させる連動機構５Ａを設け、この連動機構５Ａによる隣接するローラ３，４間の伝達比を１．１以上５．０以下に設定する。また、連動機構５Ａを、ローラ３，４に設けられたプーリ９，１１と、このプーリ９，１１間に張架されたベルト１２とを有した構成とする。【選択図】図４
0003196652.tif 000002
【実用新案登録請求の範囲】
【請求項１】
装置本体と、
該装置本体に配設された複数のローラとを有するマッサージ装置において、
複数の前記ローラを連動させる連動機構を設け、
かつ、前記連動機構による隣接する前記ローラ間の伝達比を1.1以上5.0以下に設定したことを特徴とするマッサージ装置。
【請求項２】
前記連動機構は、
前記ローラに設けられたプーリと、
該プーリ間に張架されたベルトとを有することを特徴とする請求項１記載のマッサージ装置。
【請求項３】
前記連動機構は、
前記ローラに設けられた歯車部と、
該歯車部の間に配設されたタイミングベルトとを有することを特徴とする請求項１記載のマッサージ装置。
【請求項４】
前記連動機構は、
前記ローラに設けられた歯車部と、
該歯車部の間に配設された歯車列とを有することを特徴とする請求項１記載のマッサージ装置。
【請求項５】
前記装置本体に、化粧料を吐出する化粧料容器を装着したことを特徴とする請求項１乃至４のいずれか一項に記載のマッサージ装置。
【考案の詳細な説明】
【技術分野】
【０００１】
本考案はマッサージ装置に係り、特にローラを用いてマッサージを行うマッサージ装置に関する。
【背景技術】
【０００２】
従来、ローラを用いたマッサージ装置は、円筒状のローラと、このローラを支える本体部等を備えた構成とされている。この種のマッサージ装置は、本体部を把持した上でローラを皮膚上で回転移動させ、このローラの回転によるマッサージ効果によって血行を良好とし、皮膚の新陳代謝を活発にする構成とされていた（特許文献１参照）。
【０００３】
しかしながら、この種のマッサージ装置は、１個のローラで皮膚の表面を回転してマッサージするため、肌をつまみ上げるマッサージを行うことができず、充分なマッサージ効果を達成することができなかった。これに対し、複数のローラを設けることによりつまみ上げるマッサージを可能としたマッサージ装置が提供されている（特許文献２参照）。
【先行技術文献】
【特許文献】
【０００４】
【特許文献１】実開平５−３７２３６号公報
【特許文献２】特開２００５−２０５０７３号公報
【考案の概要】
【考案が解決しようとする課題】
【０００５】
しかしながら、従来のつまみ上げるマッサージを可能としたマッサージ装置は、複数のローラを操作方向に対して傾けて配置する必要があり、その構成が複雑になるという問題点があった。また、ローラによるつまみ上げ力はローラの傾きにより異なるが、これを使用者が心地良いと感じる角度に的確に調整する処理が面倒で困難であるという問題点もあった。
【０００６】
本考案は上記の点に鑑みてなされたものであり、簡単な構成でつまみ上げるマッサージを良好に行い得るマッサージ装置を提供することを目的とする。
【課題を解決するための手段】
【０００７】
上記の課題は、第１の観点からは、
装置本体と、
該装置本体に配設された複数のローラとを有するマッサージ装置において、
複数の前記ローラを連動させる連動機構を設け、
かつ、前記連動機構による隣接する前記ローラ間の伝達比を1.1以上5.0以下に設定したことを特徴とするマッサージ装置により解決することができる。
【０００８】
上記考案において、前記連動機構を、前記ローラに設けられたプーリと、該プーリ間に張架されたベルトとを有する構成としてもよい。
【０００９】
また上記考案において、前記連動機構を、前記ローラに設けられた歯車部と、該歯車部の間に配設されたタイミングベルトとを有する構成としてもよい。
【００１０】
また上記考案において、前記連動機構を、前記ローラに設けられた歯車部と、該歯車部の間に配設された歯車列とを有する構成としてもよい。
【００１１】
また上記考案において、前記装置本体に化粧料を吐出する化粧料容器を装着した構成としてもよい。
【考案の効果】
【００１２】
開示のマッサージ装置によれば、隣接したローラの回転速度が異なる構成となるため、ローラ間で肌に対してつまみ作用が発生する。よって、簡単かつ確実につまみ上げによるマッサージを行うことが可能となる。
【図面の簡単な説明】
【００１３】
【図１】図１は、本考案の第１実施形態であるマッサージ装置を示しており、（Ａ）は背面図、（Ｂ）は平面図、（Ｃ）は正面図、（Ｄ）は側面図である。
【図２】図２は、本考案の第１実施形態であるマッサージ装置の装置本体を取り外した状態の平面図である。
【図３】図３は、本考案の第１実施形態であるマッサージ装置の使用状態を示す図である。
【図４】図４は、本考案の第１実施形態であるマッサージ装置においてつまみ上げ効果が発生する理由を説明するための図である。
【図５】図５は、本考案の第２実施形態であるマッサージ装置の概略構成図である。
【図６】図６は、本考案の第３実施形態であるマッサージ装置を底面側から見た斜視図である。
【図７】図７は、本考案の第３実施形態であるマッサージ装置の概略構成図である。
【考案を実施するための形態】
【００１４】
次に、本考案の実施の形態について図面と共に説明する。
【００１５】
図１乃至図３は、本考案の第１実施形態であるマッサージ装置１Ａを説明するための図である。図１（Ａ）〜（Ｄ）はマッサージ装置１Ａの背面，平面，正面，及び側面をそれぞれ示し、図２はマッサージ装置１Ａの装置本体２を取り外した状態を示し、図３はマッサージ装置１Ａを使用している状態を示している。
【００１６】
各図に示されるように、マッサージ装置１Ａは装置本体２、第１のローラ３、第２のローラ４、及び連動機構５Ａ等を有した構成とされている。
【００１７】
装置本体２はマッサージ装置１Ａの使用時に使用者に把持されるものであり、本実施形態では樹脂成形されている。なお、装置本体２の材質は樹脂に限定されるものではなく、金属、木、ガラス、石、ゴム、等の各種素材を用いることも可能である。
【００１８】
第１のローラ３及び第２のローラ４は、この装置本体２に配設されている。
【００１９】
第１のローラ３は樹脂製であり、回転軸６，第１のプーリ９，及びスパイラル状フィン１０等を有した構成とされている。
【００２０】
回転軸６は両端を装置本体２に回転自在に軸承されており、またマッサージ装置１Ａの操作方向（図３に矢印Ｘで示す）に対して直行する方向（図１（Ａ）〜（Ｃ）における左右方向）に延在するよう配設されている。スパイラル状フィン１０は、回転軸６に螺旋状に形成されており、その形状は中央部から両側部に向けて漸次直径が大きくなる形状とされている。
【００２１】
第１のプーリ９の回転中心と第１のローラ３の回転中心は一致するよう設けられており、スパイラル状フィン１０の中央位置に形成されている。この第１のプーリ９は、後述する連動機構５Ａの一部を構成する。
【００２２】
なお、上記のように本実施形態では第１のローラ３の材質を樹脂製とし、その形状をスパイラル状としている。しかしながら、第１のローラ３の材質及び形状はこれに限定されるものではなく、金属、木、ガラス、石、ゴム、など各種素材を用いてもよく、また形状もスパイラル以外の種々の形状（円柱形状、多角形形状等）としてもよい。更に、スパイラル状フィン１０の形状も上記の形状に限定されるものではなく、中央部と両端の直径が同じでも良いし、うねっていても良い。
第２のローラ４は樹脂製であり、回転軸７，太鼓状部８，及び第２のプーリ１１を有した構成とされている。回転軸７は、回転軸６と同様に、その両端を装置本体２に回転自在に軸承されている。また回転軸７は、マッサージ装置１Ａを使用する時に操作される操作方向に対して直行する方向に延在するよう配設されている。
【００２３】
太鼓状部８は、中央部から両側部に向けて漸次直径が小さくなる太鼓形状とされている。第２のプーリ１１の回転中心は第２のローラ４の回転中心と一致するよう設けられており、また太鼓状部８の中央位置に形成されている。この第２のプーリ１１は、前記した第１のプーリ９と共に連動機構５Ａの一部を構成する。
【００２４】
なお、上記のように本実施形態では第２のローラ４の材質を樹脂製とし、その形状を太鼓状としている。しかしながら、第２のローラ４の材質及び形状はこれに限定されるものではなく、金属、木、ガラス、石、ゴム、など各種素材を用いてもよく、また形状も太鼓状以外の種々の形状（円柱形状、多角形形状等）にしてもよい。
【００２５】
前記のように第１のローラ３の回転軸６及び第２のローラ４の回転軸７は、いずれもマッサージ装置１Ａの操作方向に対して直行する方向に延在するよう配設されている（但し、必ずしも直行する方向である必要はない）。よって、回転軸６と回転軸７は、互いに平行に装置本体２に配設された構成となっている。また、装置本体２内の第１のローラ３と第２のローラ４との間には、空間部１７が形成されている。よって、この空間部１７を介し、第１のローラ３と第２のローラ４は隣接し対向した構成となっている。
【００２６】
連動機構５Ａは、第１のプーリ９、第２のプーリ１１、及びベルト１２等を有している。ベルト１２は、第１のプーリ９第と第２のプーリ１１との間に張架されている。第１のプーリ９は第１のローラ３と一体的に回転する構成とされており、また第２のプーリ１１は第２のローラ４と一体的に回転する構成とされている。よって、第１のローラ３と第２のローラ４は、連動機構５Ａにより連動して回転する構成となっている。
【００２７】
図４は、連動機構５Ａの構成図である。同図に示すように、本実施形態に係る連動機構５Ａは、第１のプーリ９の直径（図４に矢印Ｄ１で示す）と第２のプーリ１１の直径（図４に矢印Ｄ２で示す）を異ならせた構成としている。
【００２８】
よって、隣接する一対のローラ３，４間における連動機構５Ａによる伝達比は、この第１及び第２のプーリ９，１１の直径により決まることになる。また、第１のプーリ９の直径Ｄ１と第２のプーリ１１の直径Ｄ２が異なることにより、第１のローラ３の回転速度（図４に矢印Ｖ１で示す）と第２のローラ４の回転速度（図４に矢印Ｖ２で示す）も異なる構成となる。
【００２９】
本実施形態では、第１のプーリ９の直径Ｄ１に対して第２のプーリ１１の直径Ｄ２を大きく設定している（Ｄ１＜Ｄ２）。よって、第１のローラ３の回転速度Ｖ１は、第２のローラ４の回転速度Ｖ２よりも速くなる（Ｖ１＞Ｖ２）。
【００３０】
図３は、上記構成とされたマッサージ装置１Ａを使用している状態を示している。同図では、マッサージ装置１Ａを腕に適用した例を示している。しかしながら、マッサージ装置１Ａの適用は腕に限定されるものではなく、顔、首、体（腹部）等の種々の部位に適用が可能なものである。
【００３１】
マッサージ装置１Ａを使用する場合、使用者は装置本体２を把持してマッサージ部位Ａを矢印Ｘ方向に走行させる。これに伴い第１及び第２のローラ３，４は回転し、これによりマッサージ部位Ａの血行の促進等のマッサージ効果を実現できる。
【００３２】
この際、各ローラ３，４の表面とマッサージ部位Ａの皮膚表面との間には所定の摩擦力が発生し、よってこの摩擦力によりマッサージ部位Ａの皮膚は各ローラ３，４の回転方向に付勢される。また、上記のように連動機構５Ａを設けることにより、第１のローラ３の回転速度Ｖ１は第２のローラ４の回転速度Ｖ２よりも速く設定されている。
【００３３】
このため、第１のローラ３がマッサージ部位Ａの皮膚表面を移動させる移動付勢量（図４に矢印Ｇ１で示す）は、第２のローラ４がマッサージ部位Ａの皮膚表面を移動させる移動付勢量（図４に矢印Ｇ２で示す）に比べて大きくなる（Ｇ１＞Ｇ２）。
【００３４】
よって、隣接する第１のローラ３と第２のローラ４との間に形成された空間部１７において、図４に示すように、マッサージ部位Ａの皮膚は各ローラ３，４によりつまみ上げられたのと等価の状態となる。このように、本実施形態に係るマッサージ装置１Ａによれば、一対のローラ３，４間でマッサージ部位Ａにつまみ上げ作用が発生するため、より良好なマッサージを行うことが可能となる。
【００３５】
この隣接する各ローラ３，４によるマッサージ部位Ａのつまみ上げ量は、皮膚表面を移動させようとする移動付勢量Ｇ１，Ｇ２により決まり、また移動付勢量Ｇ１，Ｇ２は連動機構５Ａの伝達比（以下、この伝達比をＫと示す）は、この第１及び第２のプーリ９，１１の直径により決まる（Ｋ=（Ｄ２／Ｄ１））。
【００３６】
本実施形態では、この伝達比Ｋを1.1以上5.0以下に設定している（1.1≦Ｋ≦5.0）。
伝達比Ｋをこのように設定した理由について表１を用いて説明する。表１は、伝達比Ｋを変化させた時のつまみ上げ効果（つまみ上げによるマッサージ感）と、マッサージ装置１Ａのマッサージ部位Ａ上おける走行性（動き易さ）を調べた実験結果を示している。
【００３７】
【表１】
0003196652.tif 000003
表１に示されるように、伝達比Ｋを1.1未満に設定すると、つまみ上げ感が減少してしまい良好なマッサージを望むことができない。また、伝達比Ｋが6.0を超えると、マッサージ装置１Ａをマッサージ部位Ａ上で良好に走行させることができなくなり（突っ掛かるような状態となる）、使用性が低下してしまう。この理由により、本実施形態では伝達比Ｋを1.1以上5.0以下に設定した。
【００３８】
これにより、マッサージ部位Ａ上におけるマッサージ装置１Ａの走行性（操作性）を維持しつつ、良好なつまみ上げ効果を有したマッサージを行うことが可能となる。
【００３９】
なお、上記の第１実施形態では、第１のプーリ９をスパイラル状フィン１０の中央位置に設置すると共に第２のプーリ１１を太鼓状部８の中央位置に配置した。しかしながら、第１及び第２のプーリ９，１１の配置位置は中央位置に限定されるものではなく、中央以外の側部位置に配置する構成とすることも可能である。
【００４０】
また直径の異なる２つのプーリ９，１１の位置は、図１乃至図４に示した第１実施形態に示した構成と逆でも良く、その際は本マッサージ装置１Ａの移動方向を逆にした際に効果を発現するものとなる。
【００４１】
図５は、本考案の第２実施形態であるマッサージ装置１Ｂを示す構成図である。なお、図５に示した構成において、図１乃至図４に示した第１実施形態に係るマッサージ装置１Ａの構成と対応する構成については、同一符号を付してその説明を省略する。
【００４２】
前記した第１実施形態に係るマッサージ装置１Ａでは、二つのローラ３，４を用いてつまみ上げを行うマッサージを可能とした。これに対して本実施形態に係るマッサージ装置１Ｂは、３個のローラ３，４，１３を用いたことを特徴としている。本実施形態では、第１のローラ３を中心として、図中右側に第２のローラ４を配置し、左側に回転軸１４に軸承された第３のローラ１３を配置した構成としている。
【００４３】
第１のローラ３には、プーリ９Ａ，９Ｂが一体的に設けられている。このプーリ９Ａ，９Ｂの回転中心は、第１のローラ３の回転中心と一致するよう構成されている。また、第２のローラ４には、第２のプーリ１１が一体的に設けられている。この第２のプーリ１１の回転中心は、第２のローラ４の回転中心と一致するよう構成されている。更に、第３のローラ１３にはプーリ１５が一体的に配設されている。このプーリ１５の回転中心は、第３のローラ１３の回転中心と一致するよう構成されている。
【００４４】
また、プーリ９Ａとプーリ１１との間にはベルト１２が配設されており、プーリ９Ｂとプーリ１５との間にはベルト１６が配設されている。よって、第１のローラ３と第２のローラ４は連動して回転し、第１のローラ３と第３のローラ１３も連動して回転する構成となる。
【００４５】
本実施形態では、連動機構５Ｂはプーリ９Ａ，９Ｂ，１１，１５及びベルト１２，１６等により構成されている。プーリ９Ａの直径Ｄ１は第２のプーリ１１の直径Ｄ２より小さく設定されており（Ｄ１＜Ｄ２）、またプーリ９Ｂの直径Ｄ３はプーリ１５の直径Ｄ４よりも大きく設定されている（Ｄ３＞Ｄ４）。
【００４６】
この構成とすることにより、第１のローラ３の回転速度Ｖ１と第２のローラ４の回転速度Ｖ２は異なり、よって第１のローラ３と第２のローラ４との間に形成された空間部１７Ａにおいて、マッサージ部位Ａをつまみ上げるマッサージを行うことが可能となる。同様に、第１のローラ３の回転速度Ｖ１と第３のローラ１３の回転速度Ｖ３も異なり、よって第１のローラ３と第３のローラ１３との間に形成された空間部１７Ｂにおいても、マッサージ部位Ａをつまみ上げるマッサージを行うことが可能となる。
【００４７】
また、プーリ９Ａ（第１のローラ３）と第２のプーリ１１（第２のローラ４）との間における伝達比Ｋ１（Ｋ１=（Ｄ２／Ｄ１））は1.1以上5.0以下に設定され、プーリ９Ｂ（第３のローラ１３）とプーリ１５（第３のローラ１３）との間における伝達比Ｋ２（Ｋ２=（Ｄ３／Ｄ４）も1.1以上5.0以下に設定されている。よって、本実施形態に係るマッサージ装置１Ｂにおいても、マッサージ部位Ａ上におけるマッサージ装置１Ａの走行性（操作性）を維持しつつ、良好なつまみ上げ効果を有したマッサージを行うことが可能となる。更に、本実施形態に係るマッサージ装置１Ｂでは、二つの空間部１７Ａ，１７Ｂにおいてつまみ上げによるマッサージが行われるため、つまみ上げによるマッサージ効果をより高めることができる。
【００４８】
図６は、本考案の第３実施形態であるマッサージ装置１Ｃを示している。同図はマッサージ装置１Ｃを底面側から見た斜視図である。なお、図６に示した構成において、図１乃至図４に示した第１実施形態に係るマッサージ装置１Ａの構成と対応する構成については、同一符号を付してその説明を省略する。
【００４９】
前記した第１実施形態に係るマッサージ装置１Ａは、連動機構５Ａとしてプーリ９，１１及びベルト１２を用いた構成とし、プーリ９，１１の直径Ｄ１，Ｄ２を異ならせることにより伝達比Ｋを上記の所定値とする構成とした。
【００５０】
これに対して本実施形態に係るマッサージ装置１Ｃは、連動機構５Ｃとして歯車部１８，１９及びタイミングベルト２０を用いると共に、新たに化粧料容器２２を取り付け可能な構成としたことを特徴とするものである。この連動機構５Ｃの伝達比は、歯車部１８及び歯車部１９の歯数により決まる。今、歯車部１８の歯数をＺ１、歯車部１９の歯数をＺ２とすると、連動機構５Ｃの伝達比Ｋ３は、Ｋ３＝（Ｚ２／Ｚ１）で示される。
【００５１】
本実施形態では、連動機構５Ｃの伝達比Ｋ３を1.1以上5.0以下に設定している。よって、本実施形態に係るマッサージ装置１Ｂにおいても、マッサージ部位Ａ上におけるマッサージ装置１Ａの走行性（操作性）を維持しつつ、良好なつまみ上げ効果を有したマッサージを行うことが可能となる。
【００５２】
また、本実施形態では歯車部１８，１９の間にタイミングベルト２０を掛け渡した構成であるため、各歯車部１８，１９とタイミングベルト２０との間に滑りが発生することはない。このため、一対のローラ３，４間でマッサージ部位Ａに対し、より確実につまみ上げによりマッサージを行うことが可能となる。
【００５３】
更に本実施形態に係るマッサージ装置１Ｃは、装置本体２に容器ホルダ２１を一体的に形成し、この容器ホルダ２１に化粧料容器２２を着脱可能な構成としている。本実施形態では、化粧料容器２２として内部に化粧料が充填されたエアゾール容器を用いている。
【００５４】
また、化粧料容器２２の先端部には化粧料を吐出するノズル２３が設けられている。そして、マッサージ装置１Ｃの使用者が装置本体２を把持した際、このノズル２３が人差し指の位置にあるよう、化粧料容器２２の取り付け位置が設定されている。
【００５５】
これにより、使用者は、片手でマッサージ装置１Ｃを把持した状態で、マッサージ部位Ａに対して化粧料容器２２から化粧料を吐出し塗布しつつ、その上で各ローラ３，４によるマッサージ（つまみ上げも含む）を行うことが可能となる。よって、本実施形態に係るマッサージ装置１Ｃによれば、化粧料を塗布して行うマッサージを容易に行うことが可能となる。なお、ホルダの形態は上記した実施形態に限定されるものではなく、化粧料容器２２の構成及び種類等により種々の形態を取り得るものである。
【００５６】
図７は、本考案の第４実施形態であるマッサージ装置１Ｄを説明するための図である。同図はマッサージ装置１Ｄの概略構成図である。なお、図７に示した構成において、図１乃至図６に示した構成と対応する構成については、同一符号を付してその説明を省略する。
【００５７】
前記した第１乃至第３実施形態に係るマッサージ装置１Ａ〜１Ｃに設けられた連動機構５Ａ〜５Ｃでは、第１のローラ３と第２のローラ４を連動させるのにベルト１２，１６、或いはタイミングベルト２０を用いた構成とされていた。これに対して本実施形態では、第１のローラ３と第２のローラ４を連動させるのに歯車列２５を用いたことを特徴としている。
【００５８】
本実施形態に係るマッサージ装置１Ｄの連動機構５Ｄは、歯車部１８、歯車部１９、及び歯車列２５等を有した構成とされている。歯車部１８は、第１のローラ３に一体的に形成されている。この歯車部１８の回転中心は、第１のローラ３の回転中心と一致するよう構成されている。また、歯車部１９は、第２のローラ４に一体的に形成されている。この歯車部１９の回転中心は、第２のローラ４の回転中心と一致するよう構成されている。
【００５９】
歯車列２５は、本実施形態では３個の歯車２６〜２８により構成されている。この各歯車２６〜２８は、いずれも装置本体２（図７には図示せず）に回転自在に軸承された構成とされている。
【００６０】
なお、本実施形態では歯車列２５を３個の歯車２６〜２８で構成しているが、その数は必ずしも３個である必要はない。但し、マッサージ装置１Ｄの使用時に第１のローラ３の回転方向と第２のローラ４の回転方向を等しくする必要があるため、歯車列を構成する歯車数は奇数個となる。
【００６１】
歯車列２５を構成する第１の歯車２６は、第１のローラ３に形成された歯車部１８と噛合すると共に第２の歯車２７と噛合している。第２の歯車２７は、第１の歯車２６と噛合すると共に、第３の歯車２８と噛合している。更に、第３の歯車２８は、第２の歯車２７と噛合する共に第２のローラ４に形成された歯車部１９に噛合している。よって、第１のローラ３と第２のローラ４は、連動機構５Ｄにより連動して回転する構成となる。
【００６２】
この連動機構５Ｃの伝達比は、歯車部１８、歯車部１９、第１の歯車２６、第２の歯車２７、及び第３の歯車２８の歯数により決まる。今、歯車部１８の歯数をＺ１、歯車部１９の歯数をＺ２、第１の歯車２６の歯数をＺ３、第２の歯車２７の歯数をＺ４、第３の歯車２８の歯数をＺ５とすると、連動機構５Ｄの伝達比Ｋ４は、Ｋ４＝（Ｚ２／Ｚ１）で示される。
【００６３】
本実施形態においても、連動機構５Ｄの伝達比Ｋ４を1.1以上5.0以下に設定している。よって、本実施形態に係るマッサージ装置１Ｂにおいても、マッサージ部位におけるマッサージ装置１Ａの走行性（操作性）を維持しつつ、良好なつまみ上げ効果を有したマッサージを行うことが可能となる。
【００６４】
また、本実施形態では歯車部１８，１９の間に歯車列２５（第１〜第３の歯車２６，２７，２８）を配設した構成であるため、第３実施形態に係るマッサージ装置１Ｃと同様に、各歯車部１８，１９と歯車列２５を構成する各歯車２６，２７，２８との間に滑りが発生することはない。このため、一対のローラ３，４間でマッサージ部位Ａに対し、良好なつまみ上げによるマッサージを行うことが可能となる。
【００６５】
更に、歯車列２５を構成する各歯車２６，２７，２８は、ユニット化することが可能である。よって、歯車列２５を装置本体２容易に装着することが可能となり、マッサージ装置１Ｃの組み立て性を向上させることができる。更に、ベルト等に比べて歯車は耐久性が高いため、歯車列２５を用いることにより、マッサージ装置１Ｄの信頼性を高めることができる。
【００６６】
以上、本考案の好ましい実施形態について詳述したが、本考案は上記した特定の実施形態に限定されるものではなく、実用新案登録請求の範囲に記載された本考案の要旨の範囲内において、種々の変形・変更が可能なものである
【符号の説明】
【００６７】
１Ａ，１Ｂ，１Ｃ，１Ｄ  マッサージ装置
２  装置本体
３  第１のローラ
４  第２のローラ
５Ａ，５Ｂ，５Ｃ，５Ｄ  連動機構
６，７，１４  回転軸
８  太鼓状部
９，１１，１５  プーリ
１０  スパイラル状フィン
１２，１６  ベルト
１３  第３のローラ
１８，１９  歯車部
２０  タイミングベルト
２１  容器ホルダ
２２  化粧料容器
２５  歯車列
２６  第１の歯車
２７  第２の歯車
２８  第３の歯車
【図１】
0003196652.tif 000004
【図２】
0003196652.tif 000005
【図３】
0003196652.tif 000006
【図４】
0003196652.tif 000007
【図５】
0003196652.tif 000008
【図６】
0003196652.tif 000009
【図７】
0003196652.tif 000010